(57)【要約】【課題】２つの表示装置それぞれに出力するオーディオ信号を最適に制御することができるようにする。【解決手段】  音声出力制御部１１２は、第1の表示装置のみが使用される場合には、第1の表示装置にオーディオ信号を出力するオーディオデバイスとして、オーディオデバイス（メイン）２７を設定し、第１の表示装置の他に、第２の表示装置が使用される場合には、第１の表示装置にオーディオ信号を出力するオーディオデバイスとして、オーディオデバイス（サブ）２８を設定し、第２の表示装置にオーディオ信号を出力するオーディオデバイスとして、オーディオデバイス（メイン）２７を設定する。本発明は、例えば、２つの表示装置それぞれにオーディオ信号を出力する情報処理装置に適用できる。【選択図】図５
2006108855.tif 000002
【特許請求の範囲】
【請求項１】
第１または第２の表示装置にビデオ信号およびオーディオ信号を出力する処理を行う情報処理装置において、
前記オーディオ信号を出力する第１の音声出力手段と、
前記第１の音声出力手段よりも高機能であって、前記オーディオ信号を出力する第２の音声出力手段と、
前記第１または第２の表示装置に前記オーディオ信号を出力する音声出力手段として、前記第１または第２の音声出力手段を設定する制御を行う音声制御手段と
を備え、
前記音声制御手段は、
前記第１の表示装置のみが使用される場合には、前記第１の表示装置に前記オーディオ信号を出力する音声出力手段として、前記第２の音声出力手段を設定し、
前記第１の表示装置の他に、前記第２の表示装置も使用される場合には、前記第１の表示装置に前記オーディオ信号を出力する音声出力手段として、前記第１の音声出力手段を設定し、前記第２の表示装置に前記オーディオ信号を出力する音声出力手段として、前記第２の音声出力手段を設定する
ことを特徴とする情報処理装置。
【請求項２】
前記第２の音声出力手段からのオーディオ信号は、前記第１および第２の表示装置に出力されるようになっており、
前記第２の音声出力手段から前記第１の表示装置へのオーディオ信号の出力を遮断する遮断手段と、
前記第１および第２の表示装置にOSD表示させる表示制御手段と
をさらに備え、
前記音声制御手段は、前記第１の表示装置の他に、前記第２の表示装置も使用される場合には、前記第２の音声出力手段から前記第１の表示装置へのオーディオ信号の出力を遮断するように前記遮断手段の制御もし、
前記表示制御手段は、前記第１の音声出力手段が出力する前記オーディオ信号の音量レベルが変更された場合、前記第２の表示装置に、前記第１の音声出力手段が出力する前記オーディオ信号の音量レベルをOSD表示させる
ことを特徴とする請求項１に記載の情報処理装置。
【請求項３】
前記表示制御手段は、前記第１の音声出力手段が出力する前記オーディオ信号の音量レベルが変更された場合、前記第２の表示装置に表示される音量レベルのOSD表示付近に、そのOSD表示が前記第１の音声出力手段が出力する前記オーディオ信号の音量レベルであることを表す情報もOSD表示させる
ことを特徴とする請求項２に記載の情報処理装置。
【請求項４】
前記表示制御手段は、前記第１の音声出力手段の音量レベルが変更された場合、前記第１の表示装置にも、前記第１の音声出力手段が出力する前記オーディオ信号の音量レベルをOSD表示させる
ことを特徴とする請求項２に記載の情報処理装置。
【請求項５】
前記第２の音声出力手段は、２種類の出力端子を介してオーディオ信号を出力し、
前記２種類の出力端子のうちの一方の出力端子から出力されるオーディオ信号の音量レベルは、前記第１の音声出力手段が出力する前記オーディオ信号の音量レベルと連動する
ことを特徴とする請求項１に記載の情報処理装置。
【請求項６】
前記音声制御手段は、前記第１の表示装置の他に、前記第２の表示装置も使用される場合には、前記第２の音声出力手段が出力する前記オーディオ信号の音量レベルを取得し、取得された音量レベルと同一の音量レベルに前記第１の音声出力手段が出力する前記オーディオ信号の音量レベルを設定した後で、前記第１の表示装置に前記オーディオ信号を出力する音声出力手段として前記第１の音声出力手段を設定し、前記第２の表示装置に前記オーディオ信号を出力する音声出力手段として前記第２の音声出力手段を設定する
ことを特徴とする請求項１に記載の情報処理装置。
【請求項７】
第１および第２の音声出力手段を備え、第１または第２の表示装置にビデオ信号およびオーディオ信号を出力する処理を行う情報処理装置の情報処理方法において、
前記第１または第２の表示装置に前記オーディオ信号を出力する音声出力手段として、前記第１または第２の音声出力手段を設定する制御を行う音声制御ステップを含み、
前記音声制御ステップは、
前記第１の表示装置のみが使用される場合には、前記第１の表示装置に前記オーディオ信号を出力する音声出力手段として、前記第１の音声出力手段よりも高機能な前記第２の音声出力手段を設定し、
前記第１の表示装置の他に、前記第２の表示装置も使用される場合には、前記第１の表示装置に前記オーディオ信号を出力する音声出力手段として、前記第１の音声出力手段を設定し、前記第２の表示装置に前記オーディオ信号を出力する音声出力手段として、前記第２の音声出力手段を設定する
ことを特徴とする情報処理方法。
【発明の詳細な説明】
【技術分野】
【０００１】
本発明は、情報処理装置および方法に関し、特に、２つの表示装置それぞれに出力するオーディオ信号を最適に制御することができるようにする情報処理装置および方法に関する。
【背景技術】
【０００２】
放送信号を受信し、テレビ番組を視聴したり、DVDを再生して、映画を視聴したりすることができるコンピュータ（パーソナルコンピュータ；Personal Computer(PC)）がある。また、近年、PDP（Plasma Display Panel）やサラウンドシステムが普及し始めており、テレビ番組や映画を大画面モニタで視聴したいという要求がある。
【０００３】
そこで、コンピュータに２つの表示装置を接続可能とし、第１の表示装置では、通常のPCモニタとして、電子メール作成処理や文書作成処理などの画像を表示することができるようにし、さらに、コンピュータに第２の表示装置が接続された場合には、その第２の表示装置で、コンピュータ内のチューナが受信したテレビ番組を視聴したり、コンピュータ内のDVDドライブで再生された映画を視聴することができるようにすることが考えられる。
【０００４】
この場合、第１の表示装置と第２の表示装置それぞれに出力するビデオ信号（映像）やオーディオ信号（音声）を、それぞれの目的に応じて最適に制御する必要がある。例えば、第２の表示装置で映画を再生表示している場合、第１の表示装置に表示させて実行しているその他のプログラムの処理音（例えば、電子メールが到着したときなどに発生するコンピュータのシステム音）は、第２の表示装置から聞こえてこないほうが良い。即ち、第２の表示装置には、DVDプレーヤで再生して視聴している場合と同様に、映画の映像や音声のみを出力するようにした方がよい。
【０００５】
従来のコンピュータにおいて、状況に応じてオーディオ信号を制御するものはある（例えば、特許文献１参照）。
【０００６】
【特許文献１】特開２００１−２１６１３２号公報
【発明の開示】
【発明が解決しようとする課題】
【０００７】
しかしながら、従来のコンピュータの音声制御では、２つの表示装置を想定したものではなかった。
【０００８】
本発明は、このような状況に鑑みてなされたものであり、２つの表示装置それぞれに出力するオーディオ信号を最適に制御することができるようにするものである。
【課題を解決するための手段】
【０００９】
本発明の情報処理装置は、オーディオ信号を出力する第１の音声出力手段と、第１の音声出力手段よりも高機能であって、オーディオ信号を出力する第２の音声出力手段と、第１または第２の表示装置にオーディオ信号を出力する音声出力手段として、第１または第２の音声出力手段を設定する制御を行う音声制御手段とを備え、音声制御手段は、第１の表示装置のみが使用される場合には、第１の表示装置にオーディオ信号を出力する音声出力手段として、第２の音声出力手段を設定し、第１の表示装置の他に、第２の表示装置も使用される場合には、第１の表示装置にオーディオ信号を出力する音声出力手段として、第１の音声出力手段を設定し、第２の表示装置にオーディオ信号を出力する音声出力手段として、第２の音声出力手段を設定することを特徴とする。
【００１０】
第２の音声出力手段からのオーディオ信号は、第１および第２の表示装置に出力されるようになっており、第２の音声出力手段から第１の表示装置へのオーディオ信号の出力を遮断する遮断手段と、第１および第２の表示装置にOSD表示させる表示制御手段とをさらに設け、音声制御手段には、第１の表示装置の他に、第２の表示装置も使用される場合には、第２の音声出力手段から第１の表示装置へのオーディオ信号の出力を遮断するように遮断手段の制御もさせ、表示制御手段には、第１の音声出力手段が出力するオーディオ信号の音量レベルが変更された場合、第２の表示装置に、第１の音声出力手段が出力するオーディオ信号の音量レベルをOSD表示させることができる。
【００１１】
表示制御手段には、第１の音声出力手段が出力するオーディオ信号の音量レベルが変更された場合、第２の表示装置に表示される音量レベルのOSD表示付近に、そのOSD表示が第１の音声出力手段が出力するオーディオ信号の音量レベルであることを表す情報もOSD表示させることができる。
【００１２】
表示制御手段には、第１の音声出力手段の音量レベルが変更された場合、第１の表示装置にも、第１の音声出力手段が出力するオーディオ信号の音量レベルをOSD表示させることができる。
【００１３】
第２の音声出力手段には、２種類の出力端子を介してオーディオ信号を出力し、２種類の出力端子のうちの一方の出力端子から出力されるオーディオ信号の音量レベルは、第１の音声出力手段が出力するオーディオ信号の音量レベルと連動させることができる。
【００１４】
音声制御手段には、第１の表示装置の他に、第２の表示装置も使用される場合には、第２の音声出力手段が出力するオーディオ信号の音量レベルを取得し、取得された音量レベルと同一の音量レベルに第１の音声出力手段が出力するオーディオ信号の音量レベルを設定した後で、第１の表示装置にオーディオ信号を出力する音声出力手段として第１の音声出力手段を設定し、第２の表示装置にオーディオ信号を出力する音声出力手段として第２の音声出力手段を設定させることができる。
【００１５】
本発明の情報処理方法は、第１または第２の表示装置にオーディオ信号を出力する音声出力手段として、第１または第２の音声出力手段を設定する制御を行う音声制御ステップとを含み、音声制御ステップは、第１の表示装置のみが使用される場合には、第１の表示装置にオーディオ信号を出力する音声出力手段として、第１の音声出力手段よりも高機能な第２の音声出力手段を設定し、第１の表示装置の他に、第２の表示装置も使用される場合には、第１の表示装置にオーディオ信号を出力する音声出力手段として、第１の音声出力手段を設定し、第２の表示装置にオーディオ信号を出力する音声出力手段として、第２の音声出力手段を設定することを特徴とする。
【００１６】
本発明においては、第１および第２の音声出力手段のうち、第１の表示装置のみが使用される場合には、第１の表示装置にオーディオ信号を出力する音声出力手段として、第１の音声出力手段よりも高機能な第２の音声出力手段が設定され、第１の表示装置の他に、第２の表示装置も使用される場合には、第１の表示装置にオーディオ信号を出力する音声出力手段として、第１の音声出力手段が設定され、第２の表示装置にオーディオ信号を出力する音声出力手段として、第２の音声出力手段が設定される。
【発明の効果】
【００１７】
本発明によれば、２つの表示装置それぞれに出力するオーディオ信号を最適に制御することができる。
【発明を実施するための最良の形態】
【００１８】
以下に本発明の実施の形態を説明するが、請求項に記載の構成要件と、発明の実施の形態における具体例との対応関係を例示すると、次のようになる。この記載は、請求項に記載されている発明をサポートする具体例が、発明の実施の形態に記載されていることを確認するためのものである。従って、発明の実施の形態中には記載されているが、構成要件に対応するものとして、ここには記載されていない具体例があったとしても、そのことは、その具体例が、その構成要件に対応するものではないことを意味するものではない。逆に、具体例が構成要件に対応するものとしてここに記載されていたとしても、そのことは、その具体例が、その構成要件以外の構成要件には対応しないものであることを意味するものでもない。
【００１９】
さらに、この記載は、発明の実施の形態に記載されている具体例に対応する発明が、請求項に全て記載されていることを意味するものではない。換言すれば、この記載は、発明の実施の形態に記載されている具体例に対応する発明であって、この出願の請求項には記載されていない発明の存在、すなわち、将来、分割出願されたり、補正により追加される発明の存在を否定するものではない。
【００２０】
請求項１に記載の情報処理装置は、
第１または第２の表示装置にビデオ信号およびオーディオ信号を出力する処理を行う情報処理装置（例えば、図１のコンピュータ１）において、
前記オーディオ信号を出力する第１の音声出力手段（例えば、図５のオーディオデバイス２８）と、
前記第１の音声出力手段よりも高機能であって、前記オーディオ信号を出力する第２の音声出力手段（例えば、図５のオーディオデバイス２７）と、
前記第１または第２の表示装置に前記オーディオ信号を出力する音声出力手段として、前記第１または第２の音声出力手段を設定する制御を行う音声制御手段（例えば、図５の音声出力制御部１１２）と
を備え、
前記音声制御手段は、
前記第１の表示装置のみが使用される場合には、前記第１の表示装置に前記オーディオ信号を出力する音声出力手段として、前記第２の音声出力手段を設定し、
前記第１の表示装置の他に、前記第２の表示装置も使用される場合には、前記第１の表示装置に前記オーディオ信号を出力する音声出力手段として、前記第１の音声出力手段を設定し、前記第２の表示装置に前記オーディオ信号を出力する音声出力手段として、前記第２の音声出力手段を設定する
を備えることを特徴とする。
【００２１】
請求項２に記載の情報処理装置は、
前記第２の音声出力手段からのオーディオ信号は、前記第１および第２の表示装置に出力されるようになっており、
前記第２の音声出力手段から前記第１の表示装置へのオーディオ信号の出力を遮断する遮断手段（例えば、図５のスイッチ１０２）と、
前記第１および第２の表示装置にOSD表示させる表示制御手段（例えば、図５の映像出力制御部１１１）と
をさらに備え、
前記音声制御手段は、前記第１の表示装置の他に、前記第２の表示装置も使用される場合には、前記第２の音声出力手段から前記第１の表示装置へのオーディオ信号の出力を遮断するように前記遮断手段の制御もし、
前記表示制御手段は、前記第１の音声出力手段が出力する前記オーディオ信号の音量レベルが変更された場合、前記第２の表示装置に、前記第１の音声出力手段が出力する前記オーディオ信号の音量レベルをOSD表示させる
ことを特徴とする。
【００２２】
請求項７に記載の情報処理方法は、
第１および第２の音声出力手段を備え、第１または第２の表示装置にビデオ信号およびオーディオ信号を出力する処理を行う情報処理装置の情報処理方法において、
前記第１または第２の表示装置に前記オーディオ信号を出力する音声出力手段として、前記第１または第２の音声出力手段を設定する制御を行う音声制御ステップを含み、
前記音声制御ステップは、
前記第１の表示装置のみが使用される場合には、前記第１の表示装置に前記オーディオ信号を出力する音声出力手段として、前記第１の音声出力手段よりも高機能な前記第２の音声出力手段を設定し（例えば、図１０のステップＳ４３の処理）、
前記第１の表示装置の他に、前記第２の表示装置も使用される場合には、前記第１の表示装置に前記オーディオ信号を出力する音声出力手段として、前記第１の音声出力手段を設定し（例えば、図８のステップＳ６の処理）、前記第２の表示装置に前記オーディオ信号を出力する音声出力手段として、前記第２の音声出力手段を設定する（例えば、図８のステップＳ５の処理）
ことを特徴とする。
【００２３】
以下、図を参照して、本発明の実施の形態について説明する。
【００２４】
図１は、本発明を適用したコンピュータシステムの一実施の形態の構成例を示している。
【００２５】
図１のコンピュータシステムは、コンピュータ１、VGA(Video Graphics Array)モニタ２、並びにTV（TeleVision）モニタ３およびサラウンドシステム４からなるTVセット５により構成されている。
【００２６】
コンピュータ１は、受信した放送信号によるテレビ番組や、DVD(Digital Versatile Disk)を再生することにより得られる映画などのコンテンツの映像（ビデオ信号）や音声（オーディオ信号）を、所定の出力端子からVGAモニタ２またはTVモニタ３に出力する。また、コンピュータ１は、例えば、ハードディスクレコーダやVCR(Video Cassette Recorder)、またはDVDプレーヤなどの記録再生装置や、デジタルカメラ（デジタルスチルカメラまたはデジタルビデオカメラ）などの撮像装置から、所定の入力端子を介して、映像（ビデオ信号）や音声（オーディオ信号）を入力させる。
【００２７】
なお、コンピュータ１には、OS（Operating System）としてウィンドウズ（登録商標）（Windows（登録商標））がインストールされており、そのOS上で動作する表計算作成処理ソフトや文書作成処理ソフトなどの所定のアプリケーションプログラムもインストールされている。また、コンピュータ１では、インターネットなどのネットワークに接続することができるようになっており、所望のWebサーバ等にアクセスすることもできる。
【００２８】
VGAモニタ２は、例えば、LCD(Liquid Crystal Display)などにより構成される画面１１を有し、コンピュータ１の出力端子とアナログRGBケーブルまたはDVI(Digital Visual Interface)などにより接続されている。これにより、VGAモニタ２は、コンピュータ１から供給されるビデオ信号に従い、所定の映像を画面１１に表示する。例えば、VGAモニタ２は、ウィンドウズ（登録商標）や、表計算作成処理ソフト、文書作成ソフト、またはメール送受信ソフト（メーラー）等が作成するウィンドウなどの画像を画面（表示領域）１１に表示する。なお、VGAモニタ２は、画面１１の解像度を、640×480（VGA）の他、1024×768（SVGA(Super Video Graphics Array)）、1280×1024（SXGA(Super eXtended Graphics Array)）などでも表示することが可能である。
【００２９】
一方、TVモニタ３は、信号フォーマットが525ｉ，525ｐ，1125ｉ、および750ｐ（後述）の放送信号を受信して、表示することが可能なテレビジョン受像機である。TVモニタ３の画面（表示領域）１２は、LCDやPDP(Plasma Display Panel)などで構成され、VGAモニタ２の画面１１より大きな画面となっている。
【００３０】
また、TVモニタ３は、信号フォーマットが525ｉ，525ｐ，1125ｉ、および750ｐのコンポーネント・ビデオ信号を入力することが可能な外部入力端子を有しており、そこにコンピュータ１の出力端子（ビデオ出力端子）からのビデオ信号が入力されている。
【００３１】
さらに、TVモニタ３は、６チャンネル（5.1チャンネル）のオーディオ信号を入力することが可能な外部入力端子も有しており、そこにコンピュータ１の出力端子（オーディオ出力端子）からのオーディオ信号が入力されている。そして、TVモニタ３に入力されたオーディオ信号は、TVモニタ３と接続されたサラウンドシステム４から、右、左、フロント（中央）、リア左、リア右、サブウーハーの合計６チャンネル（5.1チャンネル）の音声として出力される。
【００３２】
以上のように構成されるコンピュータシステムでは、ユーザは、VGAモニタ２をメインのモニタとして使用し、TVモニタ３をサブのモニタとして使用する。即ち、通常は、コンピュータ１からの映像または音声は、VGAモニタ２に出力されるようになっており、ユーザは、文書作成処理や電子メールの作成および送受信、Webページの閲覧などの作業を、VGAモニタ２の画面１１に表示された映像（画像）を参照して行う。そして、ユーザが、テレビ番組やDVDの再生による映画などのコンテンツを大画面で、またはVGAモニタ２とは独立した画面で鑑賞したいときなどに、コンピュータ１を操作することによりTVモニタ用アプリケーションを起動させる。TVモニタ用アプリケーションは、ユーザに指定されたコンテンツの映像をTVモニタ３に出力し、音声をサラウンドシステム４から出力させる。
【００３３】
次に、図２を参照して、TVモニタ３が受信または入力可能なビデオ信号の信号フォーマットについて説明する。上述したように、TVモニタ３は、525ｉ，525ｐ，1125ｉ、および750ｐのビデオ信号（放送信号）を入力することができる。
【００３４】
ここで、525ｉの信号フォーマットは、図２に示すように、ビデオ信号の走査線数（解像度）が525本であり、ビデオ信号の有効走査線数が480本であり、ビデオ信号の走査方式がインターレース（飛び越し走査方式）であることを表している。
【００３５】
また、525ｐの信号フォーマットは、ビデオ信号の走査線数が525本であり、ビデオ信号の有効走査線数が480本であり、ビデオ信号の走査方式がプログレッシブ（順次走査方式）であることを表している。
【００３６】
同様に、1125iの信号フォーマットは、ビデオ信号の走査線数が1125本であり、ビデオ信号の有効走査線数が1080本であり、ビデオ信号の走査方式がインターレース（飛び越し走査方式）であることを表している。
【００３７】
750ｐの信号フォーマットは、ビデオ信号の走査線数が750本であり、ビデオ信号の有効走査線数が720本であり、ビデオ信号の走査方式がプログレッシブ（順次走査方式）であることを表している。
【００３８】
なお、525ｉのコンポーネント・ビデオ信号のみが入力可能な端子は、EIAJ（Electronic Industries Association of Japan；日本電子機械工業会）のCP-4120の規格では、D１端子と呼ばれている。
【００３９】
また、525ｐのコンポーネント・ビデオ信号を入力可能な端子は、525ｉのコンポーネント・ビデオ信号も入力可能となっており、EIAJのCP-4120の規格では、D２端子と呼ばれている。
【００４０】
1125ｉのコンポーネント・ビデオ信号を入力可能な端子は、525ｉおよび525ｐのコンポーネント・ビデオ信号も入力可能となっており、EIAJのCP-4120の規格では、D３端子と呼ばれている。
【００４１】
750pのコンポーネント・ビデオ信号を入力可能な端子は、525ｉ，525ｐ、および1125ｉのコンポーネント・ビデオ信号も入力可能となっており、EIAJのCP-4120の規格では、D４端子と呼ばれている。
【００４２】
図３は、図１のコンピュータ１の構成例を示すブロック図である。
【００４３】
図３において、CPU（Central Processing Unit）２１は、ROM（Read Only Memory）２２に記憶されているプログラム、またはHDD(Hard Disk Drive)３２からRAM（Random Access Memory）２３にロードされたプログラムに従って各種の処理を実行する。RAM２３にはまた、CPU２１が各種の処理を実行する上において必要なデータなども適宜記憶される。
【００４４】
ここで、HDD３２からRAM２３にロードされ、CPU２１において処理が実行されるプログラム（アプリケーション）としては、上述したOSや表計算作成処理ソフトの他、コンピュータ１からの音声の出力を制御する音声出力制御プログラム、コンピュータ１からの映像の出力を制御する映像出力制御プログラムなどがある。
【００４５】
CPU２１、ROM２２、およびRAM２３は、バス２４を介して相互に接続されている。このバス２４にはまた、入出力インタフェース２５も接続されている。
【００４６】
入出力インタフェース２５には、図示せぬアンテナより供給される放送信号を受信し、所定のチャンネルの放送信号を検波、復調するチューナ２６、オーディオ信号（音声）を生成するオーディオデバイス（メイン）２７およびオーディオデバイス（サブ）２８、キーボード、マウスなどよりなる操作部２９、外部からのビデオ信号（映像）またはオーディオ信号（音声）を入力させる入力部３０、ビデオ信号（映像）またはオーディオ信号（音声）を外部の装置に出力する出力部３１、所定のデータを記憶（記録）するHDD３２、モデム、ターミナルアダプタなどより構成される通信部３３、並びに、DVD７１の記録または再生を行うDVDドライブ３４が接続されている。
【００４７】
入出力インタフェース２５にはまた、必要に応じてドライブ３５が接続され、磁気ディスク（フロッピディスクを含む）、光ディスク（CD-ROM(Compact Disk-Read Only Memory）、光磁気ディスク（MD（Mini-Disk）を含む）、或いは半導体メモリなどのリムーバブルメディア（記録媒体）７２が適宜装着され、それらから読み出されたコンピュータプログラムが、必要に応じてHDD３２にインストールされる。
【００４８】
入力部３０は、輝度信号と色信号をセパレートさせたビデオ信号を入力させるＳ（Ｓ映像）入力端子４１、コンポジット・ビデオ信号を入力させるコンポジット入力端子４２、並びにオーディオ信号を入力させるオーディオ入力端子４３を少なくとも有している。
【００４９】
出力部３１は、音声出力部（オーディオ出力端子）５１と映像出力部（ビデオ出力端子）５２とで構成されている。
【００５０】
音声出力部５１は、VGAモニタ２に内蔵されているスピーカにオーディオ信号（音声）を出力するVGAモニタ（V）出力端子６１、ヘッドフォン（Head Phone）にオーディオ信号（音声）を出力するヘッドフォン（H）出力端子６２、並びにオーディオ信号（音声）をサラウンド出力するサラウンド（5.1CH）出力端子６３を少なくとも有している。なお、VGAモニタ出力端子６１およびヘッドフォン出力端子６２からのオーディオ信号は、音量レベルを変更して出力することができるが、サラウンド出力端子６３はRCA端子となっており、音量レベルを変更して出力することはできない（出力される音量レベルは固定である）。
【００５１】
図１のコンピュータシステムでは、VGAモニタ出力端子６１が、所定のケーブルを介して、VGAモニタ２と接続されている。また、サラウンド出力端子６３が、所定のケーブルを介して、TVモニタ３と接続されている。
【００５２】
映像出力部５２は、輝度信号と色信号をセパレートさせたビデオ信号を出力するＳ（Ｓ映像）出力端子６４、コンポジット・ビデオ信号を出力するコンポジット（CS）出力端子６５、コンポーネント・ビデオ信号を出力するコンポーネント（CP）出力端子６６、並びに、アナログRGBまたはDVI(Digital Visual Interface)などによりVGAモニタ２用のビデオ信号を出力するVGAモニタ（V）出力端子６７を少なくとも有している。
【００５３】
図１のコンピュータシステムでは、VGAモニタ出力端子６７が、所定のケーブルを介して、VGAモニタ２と接続されている。また、コンポーネント出力端子６６が、所定のケーブルを介して、TVモニタ３と接続されている。
【００５４】
HDD３２は、上述したOSや表計算作成処理ソフト、音声出力制御プログラム、映像出力制御プログラムなどの各種の（アプリケーション）プログラムを、内蔵するハードディスクに記憶（記録）している。HDD３２に記憶されているプログラムは、ユーザの操作に対応する操作部２９からの操作信号に基づくCPU２１の制御により、RAM２３などにロードされる。
【００５５】
また、HDD３２は、入力部３０から入力される、例えば、デジタルカメラなどで撮影された映像（音声も含む）や、チューナ２６が受信したテレビ番組の映像または音声なども記憶することができる。これにより、例えば、ユーザは、HDD３２に記録されている、以前に録画したテレビ番組を再生して視聴したり、デジタルカメラで撮影した映像を編集し、HDD３２に記憶させることができる。なお、テレビ番組やデジタルカメラの映像は、SD (Standard Definition)映像か、またはHD (High Definition)映像のどちらでもよい。
【００５６】
以上のように構成されるコンピュータ１では、ユーザは、例えば、チューナ２６で受信したテレビ番組の映像、DVDドライブ３４で再生した映画やドラマの映像、または入力部３０から入力されたデジタルカメラの映像（静止画、音声も含む）などを、出力部３１からVGAモニタ２またはTVモニタ３に出力（表示）させて視聴したり、HDD３２に記憶（記録）させることができる。なお、コンピュータ１には、チューナ２６を複数設けるようにして、複数のチャンネルでそれぞれ放送されている複数のテレビ番組を同時に記録させるようにすることもできる。
【００５７】
さて、図３を参照して説明したように、コンピュータ１は、２つのオーディオデバイス（メイン）２７およびオーディオデバイス（サブ）２８を有している。以下、オーディオデバイス（メイン）２７をメインオーディオデバイス２７、オーディオデバイス（サブ）２８をサブオーディオデバイス２８ともいう。
【００５８】
２つのオーディオデバイス２７および２８それぞれが有している機能には差がある。図４は、オーディオデバイス２７および２８それぞれが有している機能（性能）を示している。
【００５９】
メインオーディオデバイス２７は、サブオーディオデバイス２８よりも高機能を有している。
【００６０】
即ち、メインオーディオデバイス２７は、Resolution（解像度，量子化ビット数）が２０ビット（bit）で８チャンネル(ch)のA/D（Analog to Digital）変換、およびResolutionが２４ビット（bit）で８チャンネル(ch)のD/A（Digital to Analog）変換を有している。
【００６１】
また、メインオーディオデバイス２７は、オーディオ入力として、LINEおよびCDのステレオ入力、PC-Beepのモノラル入力、ステレオおよびモノラルのマイク（Mic）入力、Optical（光）のSPDIF（Sony Philips Digital Interface）入力を有している。
【００６２】
さらに、メインオーディオデバイス２７は、オーディオ出力として、LINEおよびLevel Outのステレオ出力、６（5.1）チャンネルおよび８(7.1)チャンネルのマルチチャンネル（サラウンド）出力、Optical（光）およびCoaxial（同軸）のSPDIF出力を有している。
【００６３】
その他、メインオーディオデバイス２７は、SRC(Sample Rate Converter)，32K，44.1K，48K，96K，および192KのSample Rates，MIC boost，AC3(Audio Code number 3)-Encoder，Analog mixer、並びにDigital mixerを有している。
【００６４】
一方、サブオーディオデバイス２８は、Resolutionが１６ビット（bit）で２チャンネル(ch)のD/A（Digital to Analog）変換、オーディオ出力として、LINEのステレオ出力、並びに、44.1Kおよび48KのSample Ratesを有しているのみである。
【００６５】
以上の機能のうち、D/A変換の解像度およびチャンネルが、メインオーディオデバイス２７は、２４ビットおよび８チャンネルで、サブオーディオデバイス２８は、１６ビットおよび２チャンネルであり、Sample Ratesが、メインオーディオデバイス２７は、サブオーディオデバイス２８より高い周波数（96Kおよび192K）も可能であることから、メインオーディオデバイス２７は、サブオーディオデバイス２８よりも高音質のオーディオ信号を出力することができる。
【００６６】
なお、図４のオーディオデバイス２７および２８それぞれが有している機能は、あくまで一例であり、オーディオデバイス２７および２８それぞれは、図４では有していないことになっている機能を有していても良いし、図４に示している機能以外の機能を有していてもよい。また、コンピュータ１は、各オーディオデバイスが有している全ての機能を必ずしも使用する必要はない。
【００６７】
図５は、コンピュータ１が音声出力部５１から音声出力を行う場合の機能的な構成例を示すブロック図である。なお、図５において、図３と対応する部分には同一の符号を付してある。
【００６８】
メインオーディオデバイス２７には、例えば、PCM（Pulse Code Modulation）データなどの、アナログまたはデジタルのオーディオデータが入力される。ここで、アナログで入力されるオーディオデータは、例えば、チューナ２６が受信した放送信号のデータである。また、デジタルで入力されるオーディオデータは、例えば、HDD３２またはDVD７１に記録されているコンテンツ（テレビ番組や映画、楽曲など）のデータである。
【００６９】
メインオーディオデバイス２７は、入力されたオーディオデータを、必要に応じてA/D変換などを施し、オーディオ信号に変換して、ヘッドフォン出力端子６２およびサラウンド（5.1CH）出力端子６３に出力する。
【００７０】
サブオーディオデバイス２８には、入出力インタフェース２５（図３）を介して、デジタルのオーディオデータのみが入力される。サブオーディオデバイス２８は、入力されたオーディオデータをオーディオ信号に変換して、VGAモニタ出力端子６１に出力する。
【００７１】
なお、メインオーディオデバイス２７のヘッドフォン出力端子６２への出力と、サブオーディオデバイス２８のVGAモニタ出力端子６１への出力とは、スイッチ（SW）１０２を介して接続されており、スイッチ１０２は、制御部１０１の制御によって、オンまたはオフするようになされている。
【００７２】
制御部１０１は、コンピュータ１の、映像の出力を制御する映像出力制御部１１１と、音声の出力を制御する音声出力制御部１１２とにより構成されている。
【００７３】
映像出力制御部１１１は、例えば、オーディオデバイス２７または２８の音量レベルが変更された場合に、VGAモニタ２の画面１１またはTVモニタ３の画面１２（図１）に音量レベルのOSD(On Screen Display)表示をさせる。
【００７４】
音声出力制御部１１２は、例えば、コンピュータ１がVGAモニタ２のみに映像を表示（出力）しているか、またはVGAモニタ２およびTVモニタ３の両方に映像を表示（出力）しているかに応じて、ウィンドウズ（登録商標）標準オーディオデバイスにメインオーディオデバイス２７またはサブオーディオデバイス２８をセットする。ここで、ウィンドウズ（登録商標）標準オーディオデバイスとは、ウィンドウズ（登録商標）のシステム設定などを行うコントロールパネルウィンドウの「サウンドとオーディオデバイスのプロパティ」で設定されているオーディオデバイスを表し、ウィンドウズ（登録商標）にインストールされているアプリケーションが、使用するオーディオデバイスをアプリケーション（またはソースプログラム）内において特に設定していない場合に使用されるオーディオデバイスを表している。
【００７５】
また、音声出力制御部１１２は、上述したように、スイッチ１０２を制御し、オンまたはオフさせる。
【００７６】
図５において、制御部１０１は、図３のCPU２１が実行する処理に対応し、映像出力制御部１１１は、映像出力制御プログラムが実行する処理に、音声出力制御部１１２は、音声出力制御プログラムが実行する処理に、それぞれ対応する。
【００７７】
図６は、コンピュータ１の映像出力先として、VGAモニタ２のみが設定されている場合の、音声出力制御部１１２によるメインオーディオデバイス２７、サブオーディオデバイス２８、およびスイッチ１０２の制御状態を示している。
【００７８】
コンピュータ１の映像出力先として、VGAモニタ２のみが設定されている場合、音声出力制御部１１２は、ウィンドウズ（登録商標）標準オーディオデバイスにメインオーディオデバイス２７をセットする。また、音声出力制御部１１２は、スイッチ１０２をオンさせる。
【００７９】
これにより、メインオーディオデバイス２７からのオーディオ信号は、VGAモニタ出力端子６１、ヘッドフォン出力端子６２、およびサラウンド出力端子６３の全てに出力される。
【００８０】
従って、例えば、電子メールが到着したときなどに発生するコンピュータのシステム音や、DVDドライブ３４で再生される映画や楽曲などの、コンピュータ１からの音声（オーディオ信号）は、VGAモニタ出力端子６１、ヘッドフォン出力端子６２、およびサラウンド出力端子６３の全てに出力される。
【００８１】
なお、サブオーディオデバイス２８にはオーディオデータが供給されず、サブオーディオデバイス２８は使用されない。従って、VGAモニタ出力端子６１から出力される音声がメインオーディオデバイス２７からのオーディオ信号とサブオーディオデバイス２８からのオーディオ信号とが重なった音声となることはない。
【００８２】
また、図６に示す制御状態は、コンピュータ１の映像出力先として、VGAモニタ２のみが設定されている場合であるので、TVモニタ３は、一般的には、オフしているか、あるいは、コンピュータ１からのオーディオ信号出力とは無関係の、例えば、TVモニタ３自身が受信したテレビ番組などの、映像を表示しているはずであるので、実質的には、VGAモニタ出力端子６１とヘッドフォン出力端子６２の２箇所から、コンピュータ１の音声が出力されることになる。勿論、TVモニタ３が映像の表示を外部入力に切り替えた場合には、サラウンドシステム４からもコンピュータ１の音声が出力されることになる。
【００８３】
以上のように、VGAモニタ２のみが使用されている場合には、VGAモニタ２にオーディオ信号を出力するオーディオデバイスとして、メインオーディオデバイス２７が音声出力制御部１１２により設定される。
【００８４】
一方、ユーザによりTVモニタ用アプリケーションが起動され、TVモニタ用アプリケーションが、所定のコンテンツの映像をTVモニタ３に表示させる場合には、メインオーディオデバイス２７、サブオーディオデバイス２８、およびスイッチ１０２の制御状態は、図７に示すようになる。
【００８５】
即ち、図７は、コンピュータ１の映像出力先として、VGAモニタ２以外にTVモニタ３も設定されている場合の、音声出力制御部１１２によるメインオーディオデバイス２７、サブオーディオデバイス２８、およびスイッチ１０２の制御状態を示している。
【００８６】
音声出力制御部１１２は、ウィンドウズ（登録商標）標準オーディオデバイスにサブオーディオデバイス２８をセットする。また、音声出力制御部１１２は、TVモニタ用アプリケーションが使用するオーディオデバイスにメインオーディオデバイス２７をセットする。さらに、音声出力制御部１１２は、スイッチ１０２をオフさせる。
【００８７】
これにより、例えば、電子メールが到着したときなどに発生するコンピュータのシステム音などの音声（オーディオ信号）は、サブオーディオデバイス２８によって、VGAモニタ出力端子６１のみから出力される。そして、テレビ番組やDVDの再生などのTVモニタ用アプリケーションの音声（オーディオ信号）は、メインオーディオデバイス２７によってヘッドフォン出力端子６２と、サラウンド（5.1CH）出力端子６３の２箇所から出力される。
【００８８】
以上のように、VGAモニタ２の他に、TVモニタ３も使用される場合には、VGAモニタ２にオーディオ信号を出力するオーディオデバイスとして、サブオーディオデバイス２８が設定され、TVモニタ３にオーディオ信号を出力するオーディオデバイスとして、メインオーディオデバイス２７が設定される。
【００８９】
次に、図８のフローチャートを参照して、TVモニタ用アプリケーションが起動された時の、コンピュータ１のオーディオデバイス制御処理について説明する。
【００９０】
初めに、ステップＳ１において、音声出力制御部１１２は、いまウィンドウズ（登録商標）標準オーディオデバイスに設定されているオーディオデバイスを取得する。この時点におけるコンピュータ１の音声出力に関する制御状態は、上述した図６に示す制御状態であるので、音声出力制御部１１２は、ウィンドウズ（登録商標）標準オーディオデバイスとして、メインオーディオデバイス２７を取得して、ステップＳ２に進む。
【００９１】
ステップＳ２において、音声出力制御部１１２は、ステップＳ２で取得したオーディオデバイス（取得オーディオデバイス）の音量レベル（の設定）を取得して、ステップＳ３に進む。
【００９２】
ステップＳ３において、音声出力制御部１１２は、サブオーディオデバイス２８の音量レベル（の設定）を、ステップＳ２で取得した音量レベル（取得音量レベル）にセットして、ステップＳ４に進む。
【００９３】
ステップＳ４において、音声出力制御部１１２は、スイッチ１０２をオフにして、ステップＳ５に進む。
【００９４】
ステップＳ５において、音声出力制御部１１２は、TVモニタ用アプリケーションが使用するオーディオデバイスとして、メインオーディオデバイス２７をセットして、ステップＳ６に進む。
【００９５】
ステップＳ６において、音声出力制御部１１２は、ウィンドウズ（登録商標）標準オーディオデバイスとして、サブオーディオデバイス２８をセットして、処理を終了する。
【００９６】
以上のようにして、コンピュータ１の音声出力に関する制御状態は、図６に示した状態から、図７に示した状態に遷移する。
【００９７】
図８のオーディオデバイス制御処理によれば、現在のウィンドウズ（登録商標）標準オーディオデバイスに設定されているメインオーディオデバイス２７の音量レベルを取得し、取得された音量レベルと同一の音量レベルにサブオーディオデバイス２８の音量レベルを設定した後で、ウィンドウズ（登録商標）標準オーディオデバイスとしてサブオーディオデバイス２８を設定するので、ウィンドウズ（登録商標）標準オーディオデバイスを変更したことにより、コンピュータ１から出力される音声の音量が変化するということを防止することができる。
【００９８】
また、図８のオーディオデバイス制御処理によれば、スイッチ１０２をオフする（メインオーディオデバイス２７からVGAモニタ出力端子６１へのオーディオ信号の出力を遮断する）ので、図８のオーディオデバイス制御処理が終了後、メインオーディオデバイス２７からのオーディオ信号は、ヘッドフォン出力端子６２およびサラウンド出力端子６３から出力され、サブオーディオデバイス２８からのオーディオ信号は、VGAモニタ出力端子６１から出力されることになる。即ち、メインオーディオデバイス２７またはサブオーディオデバイス２８からの音声が、VGAモニタ出力端子６１およびヘッドフォン出力端子６２の両方から出力されることを防止することができる。
【００９９】
なお、ステップＳ４乃至Ｓ６の各ステップの処理は、どの順番で実行しても良いし、並列に実行することも可能である。
【０１００】
次に、図９のフローチャートを参照して、TVモニタ用アプリケーションが起動中の、オーディオデバイス２７および２８の音量レベル制御処理について説明する。
【０１０１】
初めに、ステップＳ２１において、音声出力制御部１１２は、ウィンドウズ（登録商標）標準オーディオデバイスの音量レベルが変更されたか否かを判定する。ここで、TVモニタ用アプリケーション起動中のウィンドウズ（登録商標）標準オーディオデバイスはサブオーディオデバイス２８であるので、音声出力制御部１１２は、サブオーディオデバイス２８の音量レベルが変更されたか否かを判定し、サブオーディオデバイス２８の音量レベルが変更されたと判定されるまで待機する。
【０１０２】
そして、ステップＳ２１において、サブオーディオデバイス２８の音量レベルが変更された場合、ステップＳ２２に進み、音声出力制御部１１２は、変更されたウィンドウズ（登録商標）標準オーディオデバイス（サブオーディオデバイス２８）の音量レベルと同一の音量レベルにメインオーディオデバイス２７の音量レベルをセットして、ステップＳ２１に戻り、それ以降の処理を繰り返す。
【０１０３】
図９の音量レベル制御処理によれば、メインオーディオデバイス２７と接続されているヘッドフォン出力端子６２およびサラウンド出力端子６３（２種類の出力端子）のうちの、RCA端子ではないヘッドフォン出力端子６２（一方の出力端子）から出力されるオーディオ信号の音量レベルは、サブオーディオデバイス２８の音量レベルと連動するので、ユーザは、ヘッドフォン出力端子６２から出力されるオーディオ信号の音量レベルを変更することができる。
【０１０４】
換言すれば、コンピュータ１にオーディオデバイスが２つ備えられていて、その２つのオーディオデバイスそれぞれが何の音声の出力に使用されているかをユーザに意識させることなく、両方のオーディオデバイスの音量レベルをユーザが変更することができる。
【０１０５】
次に、図１０のフローチャートを参照して、TVモニタ用アプリケーションが終了された時の、コンピュータ１のオーディオデバイス制御処理について説明する。
【０１０６】
初めに、ステップＳ４１において、音声出力制御部１１２は、スイッチ１０２をオンにして、ステップＳ４２に進む。
【０１０７】
ステップＳ４２において、音声出力制御部１１２は、ウィンドウズ（登録商標）標準オーディオデバイスがサブオーディオデバイス２８であるか否かを判定する。ステップＳ４２で、ウィンドウズ（登録商標）標準オーディオデバイスがサブオーディオデバイス２８ではないと判定された場合、ステップＳ４３をスキップして、処理を終了する。
【０１０８】
一方、ステップＳ４２で、ウィンドウズ（登録商標）標準オーディオデバイスがサブオーディオデバイス２８であると判定された場合、ステップＳ４３に進み、ウィンドウズ（登録商標）標準オーディオデバイスとして、TVモニタ用アプリケーションが使用していたメインオーディオデバイス２７をセットして、処理を終了する。
【０１０９】
図１０のオーディオデバイス制御処理により、コンピュータ１の音声出力に関する制御状態は、図７に示した状態から、図６に示した状態に遷移する（戻る）。
【０１１０】
以上のように、コンピュータ１の音声出力制御部１１２は、コンピュータ１の映像出力先（表示装置）がVGAモニタ２のみの場合には、２つあるオーディオデバイス２７および２８のうちの高機能なオーディオデバイス２７を使用してVGAモニタ２にオーディオ信号を出力し、コンピュータ１の映像出力先がVGAモニタ２およびTVモニタ３の場合には、オーディオデバイス２７を使用してTVモニタ３にオーディオ信号を出力し、オーディオデバイス２８を使用してVGAモニタ２にオーディオ信号を出力するようにする。
【０１１１】
これにより、チューナ２６が受信したテレビ番組やDVDの再生映像などの音声のように、より高音質な音声を出力するオーディオデバイスに、メインオーディオデバイス２７を設定することができる。また、ウィンドウズ（登録商標）標準オーディオデバイスに設定されているサブオーディオデバイス２８に対する音量レベルの変更に連動して、メインオーディオデバイス２７の音量レベルも変更される。
【０１１２】
従って、音声出力制御部１１２は、２つの表示装置（VGAモニタ２およびTVモニタ３）それぞれに出力するオーディオ信号を最適に制御することができる。
【０１１３】
次に、図１１を参照して、図７に示す制御状態、即ち、コンピュータ１の映像出力先として、VGAモニタ２以外にTVモニタ３も設定されている状態において、サブオーディオデバイス２８の音量レベルが変更された場合の、音量レベルのOSD表示制御について説明する。
【０１１４】
図１１では、ウィンドウズ（登録商標）標準オーディオデバイスとしてサブオーディオデバイス２８が設定され、TVモニタ用アプリケーションが使用するオーディオデバイスとして、メインオーディオデバイス２７が設定されている。
【０１１５】
例えば、ユーザは、TVモニタ用アプリケーションで、チューナ２６（図３）が受信した所定のチャンネルのテレビ番組をTVモニタ３に表示させ、視聴しているとする。このとき、サラウンドシステム４から聴こえてくるテレビ番組の音声は、コンピュータ１のサラウンド（5.1CH）出力端子６３から出力されたオーディオ信号によるものである。
【０１１６】
ユーザは、コンピュータ１に付属のリモートコントローラ（以下、リモコンという）１４１を操作して、チューナ２６が受信するチャンネルを変更することができる。
【０１１７】
ところで、TVモニタ３は、それ自身でも、放送信号を受信して、所定のチャンネルのテレビ番組を表示することができるので、ユーザは、TVモニタ３に表示されているテレビ番組のチャンネルが、コンピュータ１のチューナ２６が受信しているチャンネルであるか、またはTVモニタ３のチューナが受信しているチャンネルであるかを一見して見分けることができない。
【０１１８】
従って、ユーザは、実際は、コンピュータ１のチューナ２６が受信しているチャンネルを変更しているにもかかわらず、TVモニタ３のチューナが受信しているチャンネルを変更していると勘違いする可能性がある。
【０１１９】
しかしながら、そのような勘違いをしていたとしても、リモコン１４１で操作されたチャンネルに従って、TVモニタ３に表示される映像は切り替えられるので、問題は発生しない。
【０１２０】
一方、ユーザがリモコン１４１で音量レベルを上げる操作を行った場合、サラウンドシステム４から聴こえてくる音声の音量レベルは変化しない。これは、サラウンド（5.1CH）出力端子６３が出力音量固定のRCA端子であるからである。
【０１２１】
しかしながら、ユーザは、TVモニタ３が受信しているチャンネルを変更していると勘違いをしていれば、サラウンドシステム４から出力される音声の音量レベルが変更されないのを疑問に思い、確認のため、何度もリモコン１４１の操作（音量レベルを上げる操作）を行うことが考えられる。
【０１２２】
そののち、ユーザは、何回かのリモコン１４１の操作によっても聴こえてくる音声の音量レベルが変化しないので、自分の操作の間違いに気づき、本来のTVモニタ３のリモコン（図示せず）で音量レベルの変更操作を行うと予想される。
【０１２３】
このとき、ユーザは、コンピュータ１のリモコン１４１による操作では、聴こえてくる音声の音量レベルが変化していなかったので、コンピュータ１は何も変更されていないと思ってしまう。
【０１２４】
しかしながら、コンピュータ１では、ユーザの音量レベルを上げるリモコン１４１の操作に応じて、VGAモニタ出力端子６１およびヘッドフォン出力端子６２の音量レベルが連動して上昇している。
【０１２５】
その結果、ユーザがヘッドフォン出力端子６２にヘッドフォンを接続し、チューナ２６が受信したテレビ番組の音声をヘッドフォンで聴こうとした場合、ヘッドフォンから大音量の音声が出力されたり、ユーザがVGAモニタ２上で何らかの操作（アプリケーション処理）を行っているときに、システム音が突然大音量で鳴ったりして、ユーザを驚愕させることになる。このようなユーザの誤操作による悪影響は、コンピュータ１のオーディオデバイス２７および２８の音量レベルが変更されていることにユーザが気が付かないことによる。
【０１２６】
そこで、コンピュータ１では、ユーザがリモコン１４１において音量レベルを変更する操作を行った場合、それにより、コンピュータ１のオーディオデバイス２７が出力する音声（オーディオ信号）の音量レベル（以下、適宜、コンピュータ１の音量レベルという）が変更されていることがユーザに分かるように、オーディオデバイス２７が出力する音声の音量レベルをVGAモニタ２またはTVモニタ３上にOSD表示させる。
【０１２７】
即ち、映像出力制御部１１１は、図１２右側に示すように、TVモニタ３の画面１２に、コンピュータ１の音量レベルであることを表す「PC音量」の文字の情報１７１とともに、コンピュータ１の音量レベル１７２をOSD表示させる。
【０１２８】
また、コンピュータ１の映像出力制御部１１１は、図１２左側に示すように、VGAモニタ２の画面１１にも、コンピュータ１の音量レベル１６１をOSD表示させる。
【０１２９】
さらに、映像出力制御部１１１は、TVモニタ３の画面１２上の、コンピュータ１の音量レベル１７２の上方に、TVモニタ３の音量レベル１７３もOSD表示させるようにしても良い。
【０１３０】
なお、図１２において、「PC音量」の文字の情報１７１の代わりに、PCを模したイメージ（画像）や、所定のマーク、記号などをOSD表示させてもよい。即ち、情報１７１は、音量レベル１７２がTVモニタ３の音量レベルではなくてコンピュータ１の音量レベルであることをユーザが認識することができるOSD表示であればなんでもよい。
【０１３１】
次に、図１３のフローチャートを参照して、コンピュータ１の音量レベルのOSD表示制御処理を説明する。この処理は、コンピュータ１の音量レベルを変更する操作が行なわれた場合に実行される。
【０１３２】
初めに、ステップＳ６１において、映像出力制御部１１１は、TVモニタ３にビデオ信号を出力しているか否かを判定する。
【０１３３】
ステップＳ６１で、TVモニタ３にビデオ信号を出力していないと判定された場合、ステップＳ６２に進み、映像出力制御部１１１は、VGAモニタ２の画面１１にコンピュータ１の音量レベルをOSD表示させて、処理を終了する。
【０１３４】
一方、ステップＳ６１で、ＴＶモニタ３にビデオ信号を出力していると判定された場合、ステップＳ６３に進み、映像出力制御部１１１は、VGAモニタ２の画面１１にコンピュータ１の音量レベルをOSD表示させるとともに、TVモニタ３の画面１２にコンピュータ１の音量レベルをOSD表示させて、処理を終了する。
【０１３５】
以上のように、図１３の音量レベルのOSD表示制御処理によれば、VGAモニタ２のみにコンピュータ１からの映像を表示している（ビデオ信号を出力している）場合には、VGAモニタ２にコンピュータ１の音量レベルをOSD表示させる。
【０１３６】
また、VGAモニタ２およびTVモニタ３それぞれにコンピュータ１からの映像を表示している場合には、VGAモニタ２およびTVモニタ３それぞれにコンピュータ１の音量レベルをOSD表示させる。さらに、図１２に示したように、TVモニタ３に表示されるコンピュータ１の音量レベルのOSD表示付近に、コンピュータ１の音量レベルであることを表す情報もOSD表示させる。
【０１３７】
これにより、ユーザは、自分がいま変更している音量レベルがコンピュータ１の音量レベルであることを容易に（即座に）認識することができ、コンピュータ１の音量レベルの誤操作およびそれによる悪影響を防止することができる。
【０１３８】
なお、上述した実施の形態では、コンピュータ１が有する２つのオーディオデバイス２７および２８は、一方のオーディオデバイス（オーディオデバイス２７）が、他方のオーディオデバイス（オーディオデバイス２８）に対して、高機能なオーディオデバイスであるとして説明したが、２つのオーディオデバイス２７および２８は、同一の機能を備えるオーディオデバイスであってもよい。即ち、オーディオデバイス２７を２つ備えるようにしても良い。
【０１３９】
但し、上述した実施の形態のように、２つのオーディオデバイス２７および２８のうちの一方（メインオーディオデバイス２７）だけを高機能なオーディオデバイスとし、TVモニタ３への映像の出力の有無に応じてウィンドウズ（登録商標）標準オーディオデバイスをオーディオデバイス２７と２８との間で切り替えることにより、コンピュータ１のオーディオデバイスにかかるコストを抑制しながら、DVDの再生などの高音質なオーディオ信号の出力を必要とする出力端子に、常に高機能なオーディオデバイスを割り当てることができる。
【０１４０】
また、上述した実施の形態では、説明を分かりやすくするため、TVモニタ３の画面１２は、VGAモニタ２の画面１１より大きいものとして説明したが、TVモニタ３の画面１２は、必ずしもVGAモニタ２の画面１１より大である必要はない。
【０１４１】
また、本実施の形態では、２つのオーディオデバイスと、コンポーネント出力端子とを備える装置を、コンピュータとして説明したが、本発明は、コンピュータの他、HDD，DVDドライブ等を備える記録再生装置にも適用することが可能である。
【０１４２】
なお、本明細書において、フローチャートに記述されたステップは、記載された順序に沿って時系列的に行われる処理はもちろん、必ずしも時系列的に処理されなくとも、並列的あるいは個別に実行される処理をも含むものである。
【０１４３】
また、本明細書において、システムとは、複数の装置により構成される装置全体を表すものである。
【図面の簡単な説明】
【０１４４】
【図１】本発明を適用したコンピュータシステムの一実施の形態の構成例を示す図である。
【図２】ビデオ信号の信号フォーマットについて説明する図である。
【図３】図１のコンピュータ１の構成例を示すブロック図である。
【図４】オーディオデバイス２７および２８について説明する図である。
【図５】コンピュータ１が音声出力を行う場合の機能的な構成例を示すブロック図である。
【図６】オーディオデバイス２７および２８の制御状態を説明する図である。
【図７】オーディオデバイス２７および２８の制御状態を説明する図である。
【図８】コンピュータ１のオーディオデバイス制御処理を説明するフローチャートである。
【図９】オーディオデバイスの音量レベル制御処理を説明するフローチャートである。
【図１０】コンピュータ１のオーディオデバイス制御処理を説明するフローチャートである。
【図１１】音量レベルのOSD表示制御を説明する図である。
【図１２】音量レベルのOSD表示の例を示す図である。
【図１３】音量レベルのOSD表示制御処理を説明するフローチャートである。
【符号の説明】
【０１４５】
１    コンピュータ，  ２１    CPU，   ２６    オーディオデバイス（メイン），  ２７    オーディオデバイス（サブ），  ３１    出力部，  ５１    音声出力部，  ６１    VGAモニタ出力端子，  ６２    ヘッドフォン出力端子，  ６３    サラウンド出力端子，  １０１    制御部，  １０２    スイッチ，  １１１    映像出力制御部，  １１２    音声出力制御部
【図１】
2006108855.tif 000003
【図２】
2006108855.tif 000004
【図３】
2006108855.tif 000005
【図４】
2006108855.tif 000006
【図５】
2006108855.tif 000007
【図６】
2006108855.tif 000008
【図７】
2006108855.tif 000009
【図８】
2006108855.tif 000010
【図９】
2006108855.tif 000011
【図１０】
2006108855.tif 000012
【図１１】
2006108855.tif 000013
【図１２】
2006108855.tif 000014
【図１３】
2006108855.tif 000015